(57)【要約】【課題】例えば液晶モニタが配されている第２の筐体を、本体側である第１の筐体に対して収納した状態にしたとしても、十分な放熱効果を得ることができる電子機器を提供する。【解決手段】第１の筐体１０は、第１の筐体１０内の空気を流動させるファン装置５０と、ファン装置５０の駆動によって第１の筐体１０内に外気を導入可能な吸気口１２ａ及び１２ｂと、ファン装置５０の駆動によって第１の筐体１０内の空気を外部に排出可能な第１の排気口１３ａ及び第２の排気口１３ｂとを備え、第１の排気口１３ａは、第２の筐体２０が第１の筐体１０に対して閉じる位置にある時に、第２の筐体２０によって閉塞される位置に形成され、第２の排気口１３ｂは、第２の筐体２０が第１の筐体１０に対して閉じる位置にある時に、第２の筐体２０によって閉塞されない位置に形成されている。【選択図】図２
2009033547.tif 000002
【特許請求の範囲】
【請求項１】
少なくとも電気回路基板を備えた第１の筐体と、
画像を表示可能な表示部を備え、前記第１の筐体に対して開閉可能に軸支された第２の筐体とを備えた電子機器であって、
前記第１の筐体は、
回動可能な羽根を備え、前記羽根を回動させることにより当該第１の筐体内の空気を流動させるファン装置と、
前記ファン装置の駆動によって当該第１の筐体内に外気を導入可能な吸気口と、
前記ファン装置の駆動によって当該第１の筐体内の空気を外部に排出可能な第１の排気口及び第２の排気口とを備え、
前記第１の排気口は、前記第２の筐体が前記第１の筐体に対して閉じる位置にある時に、前記第２の筐体によって閉塞される位置に形成され、
前記第２の排気口は、前記第２の筐体が前記第１の筐体に対して閉じる位置にある時に、前記第２の筐体によって閉塞されない位置に形成されている、電子機器。
【請求項２】
前記吸気口は、
前記第２の筐体が前記第１の筐体に対して閉じる位置にある時に、前記第２の筐体によって閉塞される位置に形成された第１の吸気口と、
前記第２の筐体が前記第１の筐体に対して閉じる位置にある時に、前記第２の筐体によって閉塞されない位置に形成された第２の吸気口とから構成される、請求項１記載の電子機器。
【請求項３】
前記第１の筐体は、
前記第１の吸気口及び前記第１の排気口の近傍に突起部が形成されている、請求項２記載の電子機器。
【発明の詳細な説明】
【技術分野】
【０００１】
本発明は、内蔵されたファンによって機器内部の空気を導入及び排出することにより、機器内部の温度を低下させる構成を備えた電子機器に関する。特に、ユーザーが手で把持して使用する電子機器に関する。
【背景技術】
【０００２】
近年、ビデオカメラ、デジタルカメラ、携帯電話端末などのモバイル機器は、多機能化に伴って機器内部のチップ温度が上昇してきている。特に、近頃はハイビジョン映像を撮影可能なビデオカメラなどが登場してきており、ハイビジョン用の画像処理マイコンは高速駆動するように設計されているため、マイコンチップや機器内部の温度がかなり高温に達する。すると、マイコンチップが熱暴走を起こすなどの問題が発生する可能性がある。
【０００３】
特許文献１には、機器内部の温度を低下させるためにファンを内蔵したビデオカメラの構成が開示されている。
【特許文献１】特開２００５−１２３４７０号公報
【発明の開示】
【発明が解決しようとする課題】
【０００４】
しかしながら特許文献１に開示されている構成は、ファンによって機器内部の空気を外部に放出するための通気口を、機器本体に対して収納自在に配されている液晶モニタの収納部に形成しているため、液晶モニタを機器本体に対して収納した状態にすると、液晶モニタの筐体によって通気口が塞がれてしまい、十分な放熱効果が得られない。
【０００５】
本発明の目的は、例えば液晶モニタが配されている第２の筐体を、本体側である第１の筐体に対して収納した状態にしたとしても、十分な放熱効果を得ることができる電子機器を提供することである。
【課題を解決するための手段】
【０００６】
本発明の電子機器は、少なくとも電気回路基板を備えた第１の筐体と、画像を表示可能な表示部を備え、前記第１の筐体に対して開閉可能に軸支された第２の筐体とを備えた電子機器であって、前記第１の筐体は、回動可能な羽根を備え、前記羽根を回動させることにより当該第１の筐体内の空気を流動させるファン装置と、前記ファン装置の駆動によって当該第１の筐体内に外気を導入可能な吸気口と、前記ファン装置の駆動によって当該第１の筐体内の空気を外部に排出可能な第１の排気口及び第２の排気口とを備え、前記第１の排気口は、前記第２の筐体が前記第１の筐体に対して閉じる位置にある時に、前記第２の筐体によって閉塞される位置に形成され、前記第２の排気口は、前記第２の筐体が前記第１の筐体に対して閉じる位置にある時に、前記第２の筐体によって閉塞されない位置に形成されているものである。
【発明の効果】
【０００７】
本発明は、第２の筐体を第１の筐体に対して収納した状態にしても、十分な放熱効果を得ることができる。
【発明を実施するための最良の形態】
【０００８】
本発明の電子機器は、少なくとも電気回路基板を備えた第１の筐体と、画像を表示可能な表示部を備え、前記第１の筐体に対して開閉可能に軸支された第２の筐体とを備えた電子機器であって、前記第１の筐体は、回動可能な羽根を備え、前記羽根を回動させることにより当該第１の筐体内の空気を流動させるファン装置と、前記ファン装置の駆動によって当該第１の筐体内に外気を導入可能な吸気口と、前記ファン装置の駆動によって当該第１の筐体内の空気を外部に排出可能な第１の排気口及び第２の排気口とを備え、前記第１の排気口は、前記第２の筐体が前記第１の筐体に対して閉じる位置にある時に、前記第２の筐体によって閉塞される位置に形成され、前記第２の排気口は、前記第２の筐体が前記第１の筐体に対して閉じる位置にある時に、前記第２の筐体によって閉塞されない位置に形成されているものである。このような構成により、第２の筐体を第１の筐体に対して閉じた状態にしても、第２の排気口が第２の筐体によって閉塞されないため、第１の筐体の十分な放熱効果を得ることができる。
【０００９】
本発明の電子機器は、上記構成を基本として、以下のような態様をとることができる。
【００１０】
すなわち、前記吸気口は、前記第２の筐体が前記第１の筐体に対して閉じる位置にある時に、前記第２の筐体によって閉塞される位置に形成された第１の吸気口と、前記第２の筐体が前記第１の筐体に対して閉じる位置にある時に、前記第２の筐体によって閉塞されない位置に形成された第２の吸気口とから構成することができる。このような構成とすることにより、第２の筐体を第１の筐体に対して閉じた状態にして、第１の吸気口が第２の筐体によって閉塞されたとしても、第２の吸気口が第２の筐体によって閉塞されないため吸気を行うことができる。
【００１１】
また、前記第１の筐体は、前記第１の吸気口及び前記第１の排気口の近傍に突起部が形成されている構成とすることができる。このような構成とすることにより、第１の筐体を使用者が手で把持した際に使用者の手と第１の排気口とが重なったとしても、使用者の手と第１の排気口との間に隙間を形成することができるので、第１の排気口から第１の筐体内の空気を排出することができる。
【００１２】
（実施の形態）
近年のビデオカメラは、例えば松下電器産業株式会社製ビデオカメラ「ＳＤＲ−Ｓ１００」の取扱説明書に開示されているように、光学系ユニットや電気回路基板などを備えた第１の筐体と、液晶モニタなどを備えた第２の筐体とから構成されている。そして、第２の筐体は、第１の筐体に対して支軸を内蔵したヒンジによって開閉自在あるいは回動自在に支持され（上記取扱説明書参照）、第２の筐体の主面と第１の筐体の主面とを対向させて液晶モニタの表示面を第１の筐体の側面に対向する姿勢にした収納状態（収納位置）と、第２の筐体を第１の筐体に対してヒンジによって回動させ、液晶モニタの表示面の法線がレンズの光軸と略平行になるような姿勢にした引き出し状態（引き出し位置）とをとることができるように構成されている。上記のようなビデオカメラで被写体の撮影を行う場合は、第２の筐体を引き出し状態にして、液晶モニタを撮影者側に向ける姿勢にする。また、ビデオカメラの使用を中止する場合は、第２の筐体を収納状態とし、液晶モニタに傷や異物が付着しないようにする。
【００１３】
また、近年のビデオカメラは、撮像素子の高画素化に伴うデータ量の大容量化と、ハイビジョン撮影対応に伴う画像の高精細化により、画像処理マイコンにおけるデータ処理速度がどんどん高速化し、マイコン動作時におけるチップ温度が高温化している。画像処理マイコンのチップ温度が上昇すると、第１の筐体内の温度が上昇し、画像処理マイコンやその他の信号処理マイコンが熱暴走を起こしたり、各種回路の動作特性が低下するなどの問題が生じる。特に、主に画像処理マイコンを動作させている撮影動作時は、最も画像処理マイコンのチップ温度が高くなるため、撮影動作時に十分な放熱を行えばよいと考えられている。そのため、例えば特許文献１に記載のように、排気口を第１の筐体における第２の筐体を収納する位置に形成することで、撮影動作時は排気口を開放して放熱を行い、第２の筐体を収納状態とした時は排気口を覆い隠す構成が提案されている。しかし、このような構成では、第２の筐体を収納状態にして撮影を行うと、排気口が第２の筐体で覆われてしまうため、十分な放熱を行うことができず、第１の筐体内の温度が上昇してしまう。
【００１４】
そこで本発明では、第２の筐体を第１の筐体に対して収納した状態にしたとしても、第１の筐体内の空気を排出可能な排出口を設けたことを主要な特徴とする。以下、その構成について詳しく説明する。
【００１５】
〔１．電子機器の構成〕
図１及び図２は、本実施の形態における電子機器の一例として挙げたビデオカメラの外観を示す。図３は、図２におけるＺ−Ｚ部分の断面である。ビデオカメラ１は、第１の筐体１０と第２の筐体２０とから構成されている。
【００１６】
第１の筐体１０は、撮像部４１（後述）の対物レンズ４２が配されている側面に対向する第１の側面１０ａと、第１の側面１０ａに隣接し第２の筐体２０の収納部である第２の側面１０ｂと、第２の側面１０ｂの周囲において第２の側面１０ｂの法線方向に突出して形成されている突起部１０ｃとを備えている。また、第１の筐体１０は、レンズや撮像素子などから構成された撮像部４０（後述）や、電気回路基板などを備えている。
【００１７】
第２の筐体２０は、ヒンジ部３０によって第１の筐体１０に支持されている。第２の筐体２０は、液晶モニタなどで構成されている表示部２１を備えている。表示部２１は、ビデオカメラ１で撮像中の映像や、ビデオカメラ１に装着されているメモリカードなどの情報媒体から再生された映像などを表示させることができる。
【００１８】
ヒンジ部３０は、支軸などの回動機構を内蔵しており、第２の筐体２０を軸Ｅを中心に回転可能としているとともに、軸Ｅに対して略直交する軸Ｆを中心に回動可能としている。本実施の形態では、ヒンジ部３０は、軸Ｅに略平行な支軸と軸Ｆに略平行な支軸とを内蔵している。図１は、第２の筐体２０が第１の筐体１０から離間した状態（以下、第１の状態と称する）で、第２の筐体２０に配されている表示部２１が目視可能な状態になっており、例えば撮影時は図１に示す状態にすることが一般的である。また、図２は、第２の筐体２０が第１の筐体１０に収納されている状態（以下、第２の状態と称する）であり、一般的にビデオカメラ１を使用しない時に図２に示す状態にするが、図２に示す状態であっても撮影や映像再生などを行うこともできる。
【００１９】
操作部１１は、第１の筐体１０の第１の側面１０ａに配され、ビデオカメラ１の各種命令を行うための操作を行うことができる。例えば、撮影開始／停止操作やズーム操作を行うことができる。
【００２０】
第１の吸気口１２ａは、第１の筐体１０における第２の側面１０ｂにおいて、第２の筐体２０を収納状態にした時に塞がれる位置に形成されている。また、第１の吸気口１２ａは、外気を第１の筐体１０内に導入するためのものである。
【００２１】
第２の吸気口１２ｂは、第１の筐体１０における第１の側面１０ａに形成されている。本実施の形態では、操作部１１の近傍でかつユーザーが第１の筐体１０を手で把持した際に、手によって塞がれない位置に形成されている。また、本実施の形態では、第２の吸気口１２ｂの形状を、操作部１１の形状に合わせて略円弧状とした。
【００２２】
第１の排気口１３ａは、第１の筐体における第２の側面１０ｂにおちえ、第２の筐体２０を収納状態にした時に塞がれる位置に形成されている。また、第１の排気口１３ａは、第１の筐体１０内の空気を外部に排出するためのものである。
【００２３】
第２の排気口１３ｂ及び１３ｃは、第１の筐体１０における第２の側面１０ａにおいて、第２の筐体２０を収納状態にした時に塞がれない位置に形成されている。具体的には、図２に示すようにヒンジ部３０のやや上部に形成されている。なお、本実施の形態では、第２の排気口１３ｂ及び１３ｃを全部で４カ所に形成しているが、ヒートシンク６０（後述）が第２の排気口１３ｂの近傍に配されているため、実際には、第２の排気口１３ｂから排気される第１の筐体１０の内部の空気が、第２の排気口１３ｃから排気される空気よりも多くなる。また、本実施の形態では、第２の排気口１３ｂ及び１３ｃの形状を光軸Ｐに略平行な長孔とし、各長孔が長手方向に一列に並ぶように形成されているが、このような形状及び配置にすることで常に目視可能な状態に形成される第２の排気口１３ｂ及び１３ｃを、極力目立たなくすることができる。本実施の形態のような第２の排気口１３ｂ及び１３ｃの形状及び配置は一例である。
【００２４】
ホルダー１４は、第１の筐体１０内に配され、バッテリーを収納可能なバッテリー収納部や、メモリーカードなどの情報媒体を収納可能な媒体収納部などを保持している。本実施の形態では図３に示すように、ホルダー１４は、第１の吸気口１２ａ及び第２の吸気口１２ｂに連通した第１の空間１４ａと、第１の排気口１３ａ及び第２の排気口１３ｂに連通した第２の空間１４ｂとを備えている。第１の空間１４ａと第２の空間１４ｂとは、ファン装置５０（後述）によって隔離されている。また、ホルダー１４には、撮像素子４２の外郭に沿うように傾斜部１４ｃが形成されていることにより、高密度な部材配置を実現し、ビデオカメラ１の小型化に貢献している。
撮像部４０は、第１の筐体１０に内蔵され、光軸Ｐ上に少なくとも対物レンズ４１及び撮像素子４２を備えている。撮像素子４２は、ＣＣＤイメージセンサーなどで構成され、本実施の形態では３個のＣＣＤイメージセンサーを用いた構成としたが、これには限らない。
【００２５】
ファン装置５０は、第１の筐体１０内のホルダー１４に保持され、通電されることにより羽根が軸Ｑを中心に回転駆動し、空気の流れを発生させることができる。本実施の形態では、ファン装置５０が駆動することにより、第１の空間１４ａ側から第２の空間側１４ｂ側へ空気が流れるように構成されている。また、ファン装置５０は、ホルダー１４に当接する外周面には弾性部材５０ａが配されていることにより、第１の空間１４ａと第２の空間１４ｂとを確実に隔離することができるとともに、ファン装置５０が回転駆動している時に発生する振動や騒音を低減させている。
【００２６】
ヒートシンク６０は、第１の筐体１０内のホルダー１４内に配されており、板金８４（後述）に固定されている。ヒートシンク６０は、熱伝導性の高い材料で形成され、板金８４に固定されている部位である固定部８０ｂから、複数のフィン８０ａが突設されている。フィン８０ａは、空気に対する接触面積を増やし、吸熱及び放熱効果を高めるためのものである。ヒートシンク８０は、フィン８０ａの主平面が空気の流動方向と略平行になるように配置されている。
【００２７】
図４は、ビデオカメラ１の縦断面を示す。図４において、プリント基板８１は、第１の筐体１０に内蔵され、第１の筐体１０の第２の側面１０ｂに対向する側面側に配されている。プリント基板８１は、各種信号処理を実行することができるマイコンチップ８２や、各種電子部品が実装されている。マイコンチップ８２は、画像処理を行うマイコンチップや、ビデオカメラ１のシステムを制御するマイコンチップなどがあるが、本実施の形態では説明の便宜上、撮影動作時に最も高熱を発する画像処理マイコンのみに符号を付与している。マイコンチップ８２の上面には、熱伝導シート８３の一方の面が当接している。熱伝導シート８３は、弾性変形可能なシリコン樹脂などで形成され、マイコンチップ８２で発生した熱を吸熱することができる。熱伝導シート８３の他方の面は、板金８４の一方に当接している。板金８４は、本実施の形態では熱伝導性に優れた銅板で形成されている。銅板８４の他方の面には、ヒートシンク６０が熱伝導可能なように固定されている。したがって、マイコンチップ８２で発生した熱は、熱伝導シート８３、銅板８４を介して、ヒートシンク６０に伝達される。
【００２８】
〔２．放熱動作〕
まず、図１に示すように、第２の筐体２０を引き出し状態にして、ビデオカメラ１の電源を投入すると、第１の筐体１０内に配されている温度センサー（不図示）が第１の筐体１０内の温度検出を開始する。次に、ビデオカメラ１を撮影動作させると、対物レンズ４１（図４）を介して入射する光学的画像を撮像素子４２で電気信号に変換し、その電気信号を画像処理マイコン（マイコンチップ８２）に入力する。画像処理マイコンは、動画圧縮処理などの各種信号処理を行う。この時、画像処理マイコンであるマイコンチップ８２は、処理動作に伴って発熱する。マイコンチップ８２から発せられた熱は、熱伝導シート８３、板金８４を介してヒートシンク６０に伝達される。ヒートシンク６０は、板金８４から伝わる熱を蓄熱する。
【００２９】
一方で、温度センサーは、第１の筐体１０内の温度が所定値よりも高くなったことを検出すると、ファン装置５０の動作を開始するよう制御する。ファン装置５０は、羽根の回転動作を開始すると、図３の矢印Ｇに示すように空気の流れが発生する。具体的には、矢印Ｇに示すように空気の流れが発生するため、第１の吸気口１２ａを介して外気が第１の筐体１０内へ導入される。この時、第１の吸気口１２ａは、第２の吸気口１２ｂよりも開口面積が大きく、かつファン装置５０に近い位置に配置されているため、第２の吸気口１２ｂから導入される空気は少なく、殆どが第１の吸気口１２ａから導入される空気となる。
【００３０】
導入された外部の空気は、第１の空間１４ａ、ファン装置５０を介して、矢印Ｈに示すように第２の空間１４ｂへ導かれる。第２の空間１４ｂにはヒートシンク６０が配されているため、外部の空気はヒートシンク６０に当たって、ヒートシンク６０の熱を奪う。ヒートシンク６０から奪った熱を含む空気は、図４の矢印Ｋに示すように第１の排気口１３ａを介して外部に放出される。
【００３１】
すなわち、図１に示すように、矢印Ａに示すように第１の吸気口１２ａから第１の筐体１０内に外気が導入され、矢印Ｂに示すように第１の排気口１３ａから空気が排出されるのである。このように、第２の筐体２０が引き出し状態にある場合は、第１の吸気口１２ａ及び第１の排気口１３ａが第２の筐体２０によって覆われないため、確実に放熱することができる。
【００３２】
次に、図２に示すように、第２の筐体２０が収納状態にある場合は、図２，図５，および図６（図６は図３におけるＹ−Ｙ部の断面）に示すように、第１の排気口１３ａが第２の筐体２０によって覆われてしまうため、第１の排気口１３ａからは十分な排気を行うことができない。この状態で、ビデオカメラ１を撮影動作させると、前述と同様にマイコンチップ８２で発生した熱は、熱伝導シート８３、板金８４を介してヒートシンク６０に伝達される。ヒートシンク６０は、板金８４から伝わる熱を蓄熱する。
【００３３】
一方で、温度センサーは、第１の筐体１０内の温度が所定値よりも高くなったことを検出すると、ファン装置５０の動作を開始するよう制御する。ファン装置５０は、羽根の回転動作を開始すると、図３の矢印Ｇに示すように空気の流れが発生する。具体的には、矢印Ｇに示すように空気の流れが発生するため、第２の吸気口１２ｂを介して外気が第１の筐体１０内へ導入される。この時、第１の吸気口１２ａは第２の筐体２０によって覆われているため、第１の吸気口１２ａを介して流入する空気の量は僅かとなる。したがって、第１の筐体１０内へは第２の吸気口１２ｂを介して外部の空気が導入される。
【００３４】
導入された外部の空気は、第１の空間１４ａ、ファン装置５０を介して、矢印Ｈに示すように第２の空間１４ｂへ導かれる。第２の空間１４ｂにはヒートシンク６０が配されているため、外部の空気はヒートシンク６０に当たって、ヒートシンク６０の熱を奪う。ヒートシンク６０から奪った熱を含む空気は、図５の矢印Ｌに示すように第２の排気口１３ｂ及び１３ｃを介して外部に放出される。この時、第１の排気口１３ａは、第２の筐体２０によってほぼ塞がれているため、ファン装置５０によって流動される空気は、ホルダー１４の内部形状に沿って第２の排気口１３ｂ及び１３ｃ側へ導かれる。よって、第２の排気口１３ｂ及び１３ｃから排気することができる。
【００３５】
すなわち、図２に示すように、矢印Ｃに示すように第２の吸気口１２ｂから第１の筐体１０内に外気が導入され、矢印Ｄに示すように第２の排気口１３ｂ及び１３ｃから空気が排出されるのである。このように、第２の筐体２０が収納状態にある場合は、第１の吸気口１２ａ及び第１の排気口１３ａが第２の筐体２０によって覆われているため、第２の吸気口１２ｂ、第２の排気口１３ｂ及び１３ｃによって確実に放熱することができる。
【００３６】
次に、図７に示すように、ビデオカメラ１をユーザーが右手７０で把持して操作する場合は、親指７０ａが第１の側面１０ａに当接し、その他の指が第１の側面１０ａに対向する面に当接し、手の平が第２の側面１０ｂに対向する面に当接する。この時、第１の吸気口１２ａ及び第１の排気口１３ａは、第２の筐体２０や右手７０で覆われない位置に形成されているため、前述のように第１の吸気口１２ａから外部の空気を導入し、第１の排気口１３ａから第１の筐体１０内の空気を排出させることができる。
【００３７】
また、図８に示すように、ビデオカメラ１をユーザーが左手７１で把持して操作する場合は、親指７１ａが第１の側面１０ａに当接し、その他の指が第１の側面１０ａに対向する面に当接し、手の平７１ｂが第２の側面１０ｂに当接する。この時、第１の吸気口１２ａ及び第１の排気口１３ａは、第２の筐体２０や左手７１で覆われない位置に形成されているため、前述のように第１の吸気口１２ａから外部の空気を導入し、第１の排気口１３ａから第１の筐体１０内の空気を排出させることができる。なお、図８に示すように、第１の排気口１３ａの一部が左手７１の手の甲７１ｂの一部で覆われてしまうが、空気の排出には大きな影響を与えない程度のものである。
【００３８】
次に、図９に示すように、第２の筐体２０を、表示部２１が目視可能な状態にして収納状態にした場合の放熱動作について説明する。図９は、第２の筐体２０を図１に示す引き出し状態から軸Ｅを中心に回転させて、表示部２１が外方を向くようにして軸Ｆを中心に回動させて、収納状態とした時のＹ−Ｙ部（図３）の断面を示す。このように表示部２１を目視可能な状態にすることで、ビデオカメラ１で撮影を行う際に撮像中の映像を表示部２１に表示させることもできるし、ビデオカメラ１に装着されているメモリカードなどの情報媒体に記録されている映像を再生し表示させることもできる。
【００３９】
図９に示すように、第２の筐体２０は、表示部２１が配されている面に対向する面２２が湾曲形状となっているため、第２の筐体２０の端部において、第１の筐体１０と第２の筐体２０との間に隙間が生じる。したがって、第１の吸気口１２ａ及び第１の排気口１３ａは第２の筐体２０によって完全に覆われないため、矢印Ｍに示すように外部の空気を第１の吸気口１２ａから導入し、矢印Ｎに示すように第１の筐体１０内の空気を第１の排気口１３ａから排出することができる。
【００４０】
〔３．実施の形態の効果、他〕
本実施の形態によれば、第２の筐体２０を収納状態にした時に第２の筐体２０で覆われない位置に第２の排気口１３ｂ及び１３ｃを形成したことにより、第２の筐体２０を収納状態にしたとしても、第１の筐体１０内の空気を排出することができ、放熱させることができる。
【００４１】
また、第２の排気口１３ｂ及び１３ｃを長孔で形成するとともに、長手方向に並んで形成したことにより、ビデオカメラ１の外観の品格を大きく損なうことなく、排気口を形成することができる。
【００４２】
また、第２の吸気口１２ｂを長孔で形成するとともに、操作部１１の外形にほぼ沿った形状（本実施の形態では円弧状）としたことにより、ビデオカメラ１の外観の品格を大きく損なうことなく、吸気口を形成することができる。
【００４３】
また、第１の吸気口１２ａ、第２の吸気口１２ｂ、第１の排気口１３ａ、および第２の排気口１３ｂは、使用者がビデオカメラ１を手で把持した際に、手や指などで覆われない位置に形成したことにより、安定した放熱効果を得ることができる。
【００４４】
また、第２の筐体２０に湾曲状とした面２２を形成したことにより、表示部２１が目視可能な状態で第２の筐体２０を収納状態にしたとしても、第１の筐体１０と第２の筐体２０との間に吸気及び排気が可能な隙間を形成することができ、第１の筐体１０内の熱を放熱させることができる。
【００４５】
また、ヒートシンク６０のフィン６０ａを、その主面が空気の流動方向と略平行になるように形成したことにより、安定した放熱効果を得ることができる。
【００４６】
また、第１の筐体１０において、第２の側面１０ｂの一部の周囲に突起部１０ｃを形成したことにより、ビデオカメラ１をユーザーが左手７１で把持した際に、手の平７１ｂと第２の側面１０ｂとの間に隙間を形成することができる。これにより、左手７１の一部が第１の吸気口１２ａまたは第１の排気口１３ａに重なっていたとしても、前記隙間を介して吸気及び排気を行うことができ、第１の筐体１０内の熱を放熱させることができる。
【００４７】
また、ホルダー１４に、撮像素子４２の外形に沿うように傾斜部１４ｃを形成し、ファン装置５０を斜めに配置したことにより、第２の吸気口１２ｂから導入した空気をスムーズにファン装置５０及び第２の空間１４ｂへと導くことができる。また、撮像素子４２の下部のデッドスペースを無くすことができるため、ビデオカメラ１を小型化することができる。
【００４８】
なお、本実施の形態では、第２の筐体２０で第１の排気口１３ａを塞ぐか否かで、第１の排気口１３ａで排気するか第２の排気口１３ｂで排気するかを切り換えていたが、空気が流れる経路を機構的に切り換える構成としてもよい。例えば、ヒンジ部３０に内蔵されている支軸（第２の筐体２０を軸Ｆを中心に回動させるための支軸）に開閉弁を備え、その開閉弁を第１の排気口１３ａの内側に配する構成が考えられる。この場合、開閉弁を、第２の筐体２０が引き出し状態（図１参照）になった時に第２の排気口１３ｂ及び１３ｃ側への経路を遮断し、第２の筐体２０が収納状態（図２参照）になった時に第１の排気口１３ａ側への経路を遮断するように配置することにより、第２の筐体２０の回動動作に伴って、空気の流れる経路を切り換えるようにすることができる。
【００４９】
また、本実施の形態では、電子機器の一例としてビデオカメラを挙げたが、デジタルカメラや携帯電話端末など、少なくとも熱源と放熱手段を備えた第１の筐体と、第１の筐体に対して開閉自在な第２の筐体とを備えた機器であればよい。
【産業上の利用可能性】
【００５０】
本発明は、放熱構造を備えた電子機器に有用である。
【図面の簡単な説明】
【００５１】
【図１】実施の形態におけるビデオカメラの外観を示す斜視図
【図２】実施の形態におけるビデオカメラの外観を示す斜視図
【図３】実施の形態におけるビデオカメラの断面図
【図４】実施の形態におけるビデオカメラの断面図
【図５】実施の形態におけるビデオカメラの断面図
【図６】実施の形態におけるビデオカメラの断面図
【図７】実施の形態におけるビデオカメラを右手で把持した状態を示す側面図
【図８】実施の形態におけるビデオカメラを左手で把持した状態を示す側面図
【図９】実施の形態におけるビデオカメラの断面図
【符号の説明】
【００５２】
１  ビデオカメラ
１０  第１の筐体
１２ａ  第１の吸気口
１２ｂ  第２の吸気口
１３ａ  第１の排気口
１３ｂ  第２の排気口
１４  ホルダー
２０  第２の筐体
２１  表示部
５０  ファン装置
【図１】
2009033547.tif 000003
【図２】
2009033547.tif 000004
【図３】
2009033547.tif 000005
【図４】
2009033547.tif 000006
【図５】
2009033547.tif 000007
【図６】
2009033547.tif 000008
【図７】
2009033547.tif 000009
【図８】
2009033547.tif 000010
【図９】
2009033547.tif 000011